(57)【要約】      （修正有）【課題】複数の石材を積層し耐震性を付与してなる耐震墓石において当該耐震墓石の最上の石材の固定に用いることができる耐震墓石用最上石材固定具１であって、頭部１００と本体部１０１とを備えてなり、本体部１０１の下部にはネジ部１０１０が設けられていると共に、本体部１０１の内部には穴部１０１１を有し、穴部１０１１にはネジ部１０１２が設けられてなる耐震墓石用最上石材固定具１。【解決手段】墓石の石塔、棹石、竿石等と称される最上の石材は、その石材の材質などから、アンカーボルトや基礎ボルトやネジなどを埋設したときに当該石材から抜けてしまい易く、墓石の耐震性を低下させる要因ともなり易いが、抜けずらくして耐震性を向上させることができる。【選択図】図４
0003122801.tif 000002
【実用新案登録請求の範囲】
【請求項１】
複数の石材を積層し耐震性を付与してなる耐震墓石において当該耐震墓石の最上の石材の固定に用いることができる耐震墓石用最上石材固定具であって、頭部と本体部とを備えてなり、当該本体部の下部にはネジ部が設けられていると共に、当該本体部の内部には穴部を有し、当該穴部にはネジ部が設けられてなることを特徴とする耐震墓石用最上石材固定具。
【請求項２】
請求項１に記載の耐震墓石用最上石材固定具を複数の石材を積層してなる墓石の最上の石材に埋設し、当該最上の石材の下部の石材に孔を孔設し、当該孔にボルトを通し、当該ボルトの上端部を当該耐震墓石用最上石材固定具の前記穴部に装着してなることを特徴とする耐震墓石。
【請求項３】
請求項２に記載の耐震墓石において、ボルトと複数の石材における芝台との締め付け部材としてライナ−を使用してなることを特徴とする耐震墓石。
【請求項４】
請求項１に記載の耐震墓石用最上石材固定具を複数の石材を積層してなる墓石の最上の石材に埋設し、当該最上の石材の下部の石材に孔を孔設し、当該孔にタ−ンバックル部を通し、当該タ−ンバックル部の上端部を当該耐震墓石用最上石材固定具の前記穴部に装着してなることを特徴とする耐震墓石。
【請求項５】
耐震墓石が、耐震墓石用最上石材固定具を複数の石材を積層してなる墓石の最上の石材に埋設し、当該最上の石材の下部の複数石材に共通の貫通孔を孔設し、地面にボルトを埋設し、当該共通の貫通孔を通して前記地面に埋設したボルトと前記最上の石材に埋設した耐震墓石用最上石材固定具との間に伸縮自在のタ−ンバックル部を介在させてなることを特徴とする、請求項４に記載の耐震墓石。
【請求項６】
タ−ンバックル部の胴部が、基礎の納骨室に位置するようにしてなることを特徴とする、請求項４又は５に記載の耐震墓石。
【考案の詳細な説明】
【技術分野】
【０００１】
本考案は、耐震墓石用最上石材固定具およびそれを用いた耐震墓石に関するものである。
【背景技術】
【０００２】
墓石は、通常、石材（台石）が単に複数段積み重ねられた形式である為に、耐震に弱いという弱点がある。
そこで、石材の接合部に凹凸を設けて上下の石材を連結させるとか、接合面の中心に穴を開けその穴に芯棒やボルトや連通棒などを差し込み上下の石材を連結させるとか、接着剤で接合する等の各種の方法が提案されている。
墓石に耐震性を付与する為に、支持ボルトを石塔本体の貫通穴に差し込んで、石塔の各パ−ツから外柵や付属品に至るまでボルトとナットで固定するという耐震工法も提案されている。
又、耐震工法墓石として、棹（さお）石と上台、上台と下台（中台）の接合部にそれぞれ雄ネジと雌ネジを形成して、これら雄ネジと雌ネジとを螺合させて、当該棹石と上台、上台と下台（中台）とを一体化させると共に、下台（中台）と芝台と基礎の３つのパーツは、別の固定具としてタ−ンバックルを使用してなる耐震工法墓石が提案されている（特開２００２−０２１３７４号公報）。
当該耐震工法により墓石に耐震性を付与することが可能であるが、墓石の最上の石材（石塔、棹石、竿石等と称される）は、その石材の材質などから、アンカーボルトや基礎ボルトやネジなどを埋設したときに当該石材から抜けてしまい易く、墓石の耐震性を低下させる要因ともなり易い。
又、当該耐震工法による墓石の場合、石塔からの水の流れが悪いと、石塔や他の石材に水分（湿気）が含有され、冬季に、石塔や他の石材が凍結により割れてしまうことがあり、特に、耐震工法で石材間を締め付け接合するので、当該締め付け部材にて上下間の水の流れを阻害することが多く、当該凍結による割れを生じやすい。
【特許文献１】２００２−０２１３７４号公報
【考案の開示】
【考案が解決しようとする課題】
【０００３】
本考案は、上記従来技術の有する問題点を解消し得る技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）複数の石材を積層し耐震性を付与してなる耐震墓石において当該耐震墓石の最上の石材の固定に用いることができる耐震墓石用最上石材固定具であって、頭部と本体部とを備えてなり、当該本体部の下部にはネジ部が設けられていると共に、当該本体部の内部には穴部を有し、当該穴部にはネジ部が設けられてなることを特徴とする耐震墓石用最上石材固定具。
（請求項２）請求項１に記載の耐震墓石用最上石材固定具を複数の石材を積層してなる墓石の最上の石材に埋設し、当該最上の石材の下部の石材に孔を孔設し、当該孔にボルトを通し、当該ボルトの上端部を当該耐震墓石用最上石材固定具の前記穴部に装着してなることを特徴とする耐震墓石。
（請求項３）請求項２に記載の耐震墓石において、ボルトと複数の石材における芝台との締め付け部材としてライナーを使用してなることを特徴とする耐震墓石。
（請求項４）請求項１に記載の耐震墓石用最上石材固定具を複数の石材を積層してなる墓石の最上の石材に埋設し、当該最上の石材の下部の石材に孔を孔設し、当該孔にタ−ンバックル部を通し、当該タ−ンバックル部の上端部を当該耐震墓石用最上石材固定具の前記穴部に装着してなることを特徴とする耐震墓石。
（請求項５）耐震墓石が、耐震墓石用最上石材固定具を複数の石材を積層してなる墓石の最上の石材に埋設し、当該最上の石材の下部の複数石材に共通の貫通孔を孔設し、地面にボルトを埋設し、当該共通の貫通孔を通して前記地面に埋設したボルトと前記最上の石材に埋設した耐震墓石用最上石材固定具との間に伸縮自在のタ−ンバックル部を介在させてなることを特徴とする、請求項４に記載の耐震墓石。
（請求項６）タ−ンバックル部の胴部が、基礎の納骨室に位置するようにしてなることを特徴とする、請求項４又は５に記載の耐震墓石。
【考案の効果】
【０００５】
本考案の耐震墓石用最上石材固定具は、墓石の石塔、棹石等と称される最上の石材の内部で、その頭部が当該石材と接触し、又、そのネジ部も当該石材と接触して、当該石材から抜けるずらくなるので、耐震墓石の耐震性を向上させることができる。
本考案の上記耐震墓石用最上石材固定具を用いた耐震墓石によれば、上記のような利点があると共に、最上の石材に当該耐震墓石用最上石材固定具を埋設し、石材間の貫通孔にボルトを介在させればよいので、作業が簡単で、部品点数も少なくて済み、ボルトにより石材間の締付け・解放が自由にでき、その締付けにより地震の揺れを受けても、墓石の転倒やずれを防止し、一方、その解放により移転や墓の修理に迅速に対処できる。
又、この場合、ボルトに代えてタ−ンバックル部を使用する時には、タ−ンバックル部は伸縮自在であるので、石材間の締付け・解放が自由にでき、その締付けにより地震の揺れを受けても、墓石の転倒やずれを防止し、一方、その解放により移転や墓の修理に迅速に対処できる。
更に、本考案の耐震墓石によれば、地面にボルトが埋設されているので、耐震性に強く、しかも、墓石全体が耐震性に強く、地面にボルトを埋設し、最上の石材に耐震墓石用最上石材固定具を埋設し、石材間の貫通孔にボルトやタ−ンバックル部を介在させればよいので、作業が簡単で、部品点数も少なくて済み、ボルトやタ−ンバックル部により、石材間の締付け・解放が自由にでき、その締付けにより地震の揺れを受けても、墓石の転倒やずれを防止し、一方、その解放により移転や墓の修理に迅速に対処できる。
請求項６のように、タ−ンバックル部の胴部が、基礎の納骨室に位置するようにすると、当該納骨室には開口が設けられており、当該開口を通して当該タ−ンバックル部の回転操作を行えるので、より一層タ−ンバックル部による締付け・解放操作を容易に行える利点を有する。
本考案の耐震墓石によれば、ボルトと複数の石材における芝台との締め付け部材としてライナーを使用することにより、水の下方向への流れを良好にし、冬季の墓石の凍結による亀裂の発生などを防止できる。
【考案を実施するための最良の形態】
【０００６】
次に、本考案の実施例を図面に基づいて説明する。
【実施例】
【０００７】
図１、図２及び図３にその一例を示すように、耐震墓石用最上石材固定具１は、頭部１００と本体部１０１とを備えてなる。当該頭部１００は、Ｔ字型に構成されている。
当該本体部１０１の下部には、図１（Ａ）に示すように、ネジ部１０１０が設けられていると共に、当該本体部１０１の内部には穴部１０１１を有してなる。
当該本体部１０１の内部の穴部１０１１の内壁面には、ネジ部１０１２が螺刻されている。
【０００８】
当該耐震墓石用最上石材固定具１を用いた耐震墓石について説明する。
当該耐震墓石用最上石材固定具１は、図４に示すように、複数の石材を積層してなる墓石（墓石本体）２における最上の石塔、棹石等と称される石材２００の内部に埋設され、その下方の一部を当該石材２００から突出する。
当該当該耐震墓石用最上石材固定具１は、最上の石塔、棹石等と称される石材２００にその頭部１００が移行できる円曲線の穴を掘って当該石材２００中に埋設する。
当該耐震墓石用最上石材固定具１における頭部１００は、Ｔ字型に構成されているので、当該石材２００から抜けずらくなり、耐震墓石の耐震性を向上させることができる。
当該耐震墓石用最上石材固定具１は、当該石塔、棹石等と称される最上の石材２００の内部で、その頭部１００が当該石材２００と接触し、又、そのネジ部１０１０が当該石材２００と接触して、当該石材２００から抜けずらくなり、耐震墓石の耐震性を向上させることができる。
【０００９】
図４に示すように、当該耐震墓石用最上石材固定具１の本体部１０１の内部の穴部１０１１には、墓石の上下の連結のための連結ボルト３の上端部が挿着される。
連結ボルト３のネジ部３００と耐震墓石用最上石材固定具１の穴部１０１１の内壁面のネジ部１０１２とを螺合させる。
当該耐震墓石用最上石材固定具１の石材２００から突出した部分には、後述のように、締め付け部材がが装着されて当該石材２００と連結ボルト３とが締め付け固定される。
【００１０】
図５に一例を示すように、墓石Ｔにおける墓石本体２は、上方から下方に向かって順次棹石２００、上台２０１、下台２０２、芝台２０３及び基礎２０４とからなっている。
基礎２０４内部には、納骨室２０４０が形成されている。当該納骨室２０４０は、納骨し易いように開放口を有する。
図５に示すように、当該墓石本体２の芝台２０３、下台２０２及び上台２０１のほぼ中央には共通の貫通孔２０５が孔設されている。
図５に示すように、石塔、棹石等と称される最上の石材２００の内部に、耐震墓石用最上石材固定具１を、当該石塔、棹石等と称される最上の石材２００の内部で、その頭部１００が当該石材２００と接触し、又、そのネジ部１０１０が当該石材２００と接触するように、埋設する。又、耐震墓石用最上石材固定具１のネジ部１０１０の一部を当該最上の石材２００から突出させる。
墓石本体２の芝台２０３、下台２０２及び上台２０１のほぼ中央に孔設された共通の貫通孔２０５に連結ボルト３を挿通させ、前記のように、当該連結ボルト３の上端部を最上の石材２００の内部に挿着させる。当該連結ボルト３は、前記のように、その上下全体にネジ部３００が螺刻されている。
耐震墓石用最上石材固定具１のネジ部１０１０の最上の石材２００から突出した部位には、締め付け部材４が装着される。
図示のように、締め付け部材４により、連結ボルト３に棹石２００を締め付け固定し、又、当該棹石２００の下部の上台２０１に当該棹石２００を載置固定する。
【００１１】
図６（Ａ）に示すように、石塔、棹石等と称される最上の石材２００や他の石材の上台２０１、下台２０２、芝台２０３から水が出ている。当該水を芝台２０３から流失させないと、当該基礎２０４からは、最上の石材２００や他の石材の上台２０１、下台２０２、芝台２０３に留まった水分（湿分）が冬季に凍結し、当該石材に亀裂を生じさせる。
図５及び図６（Ａ）に示すように、当該連結ボルト３の下端部は、墓石本体２の芝台２０３の底部から下方に突出させ、締め付け部材４により締め付け固定するが、当該締め付け部材４として、ライナー４００を使用することが好ましい。当該ライナー４００を使用するにより、最上の石材２００や他の石材からの水を貫通孔２０５内部から外部に流失させることができる。
図６（Ｂ）に示すように、当該締め付け部材４としてライナー４００を使用し、例えば、ライナー４００、角座４０１、パクト４０２による組み合わせにより、芝台２０３に締め付け固定する。
後述の実施例でも同様にして締め付け部材４としてライナー４００を使用するようにする。
当該墓石本体２は、最上の石塔、棹石等と称される石材２００の内部に耐震墓石用最上石材固定具１が埋設され、その頭部１００が当該石材２００と接触し、又、そのネジ部１０１０も当該石材２００と接触して、当該石材２００から抜けずらくなるので、アンカーボルトや基礎ボルトやネジなどを埋設したときに比較して耐震墓石の耐震性を向上させることができる。
又、連結ボルト３により上下で固定され、棹（さお）石２００と上台２０１、上台２０１と下台（中台）２０２のような石材間の接合部において個々にボルトとナットのような締め付け具で締め付け固定する必要がないので作業性も良好となる。
本体部１０１の内部の穴部１０１１の内面にネジ部１０１２が設けられているので、連結ボルト３のネジ部と螺合して、より一層耐震墓石の耐震性を向上させることができる。
【００１２】
図７に他の耐震墓石の実施例を示す。
図７にその一例を示す墓石Ｔにおける墓石本体２は、前記図５及び図６に示す実施例と同様であるが、加うるに、図７に示すように、地面にカットアンカ−５を埋設し、当該カットアンカ−５と前記芝台２０３の底部の連結ボルト３との間に、タ−ンバックル部６を介在させてなる点で相違する。
【００１３】
当該タ−ンバックル（ｔｕｒｎｂｕｃｋｌｅ）部６は、両端に右ネジと左ネジの継手をもった部品で、図１３にその例を示す。
当該タ−ンバックル部６は、例えば、タ−ンバックル胴部（バックル金物）６００と当該胴部とネジ合わせする端部に右ネジと左ネジの逆方向のネジ６０１０が切られた棒部６０１とを有してなる。
図１３（Ａ）及び（Ｂ）に示す当該タ−ンバックル部６は、そのタ−ンバックル胴部６００が枠式で且つ棒部６０１がストレートタイプのもので、同じく当該ストレートタイプで、両先端部にネジ部６０２を有するものを使用することができる。図１３（Ａ）に示す当該タ−ンバックル部６のように、ボルト６０１０をネジ６０１０として使用することができる。
図１３（Ｃ）に示すタ−ンバックル部６は、タ−ンバックル胴部６００がパイプ式で且つ棒部６０１がストレートタイプのもので、当該パイプタ−ンバックルストレ−トと称されるものも使用できる。図１３（Ａ）及び（Ｂ）に示すタ−ンバックル部と同様にネジ６０１０やネジ部６０２が切られている。
【００１４】
図７に示すように、地面Ｇの地中には、カットアンカ−５が埋設され、タ−ンバックル部６の下端部が締め付け部材４を介して当該カットアンカ−５に締め付け固定される。
図１２に示すように、タ−ンバックル部６の下端部のネジ６０１０が、カットアンカ−５内面のネジ５００に螺合される。
当該締め付け部材４は、その図示例では、ライナー４００と角座４０１とワッシャ−（座金）４０２とＳワッシャ−（ばね座金）とナット４０４とからなっている。当該ワッシャ−（座金）４０２とＳワッシャ−（ばね座金）とナット４０４とは一体となったパクトと称されるものを使用することができる。
【００１５】
図８に他の耐震墓石の実施例を示す。
当該図８に示す墓石Ｔにおける墓石本体２の最上の石材２００の底下部には、前記実施例と同様に、耐震墓石用最上石材固定具１を、当該石塔、棹石等と称される最上の石材２００の内部で、その頭部１００が当該石材２００と接触し、又、そのネジ部１０１０が当該石材２００と接触するように、埋設する。
当該墓石本体２の芝台２０３、下台２０２及び上台２０１のほぼ中央に孔設された共通の貫通孔２０５には、前記連結ボルト３に代えてタ−ンバックル部６を挿通させる。
当該タ−ンバックル部６の上端部を最上の石材２００の穴部１０１１の内部に挿着させ、締め付け部材４例えば角座、パクトにより、タ−ンバックル部６に棹石２００を締め付け固定し、又、当該棹石２００の下部の上台２０１に当該棹石２００を載置固定させる。
当該タ−ンバックル部６の下端部を墓石本体２の芝台２０３の底部から下方に突出させ、締め付け部材４により、芝台２０３に締め付け固定する。
図９に示すように、地面Ｇにカットアンカ−５を埋設し、当該地面Ｇに埋設したカットアンカ−５と最上の石材２００の底下部の穴部１０１１との間に、タ−ンバックル部６を介在させる。
当該タ−ンバックル部６には、前記の図１４に示す各種のタ−ンバックル部６を使用することができる。又、当該タ−ンバックル部６は、前記の図１３に示す例と同様に、タ−ンバックル部６の下端部が締め付け部材４を介して当該カットアンカ−５に締め付け固定される。
【００１６】
上記のように、カットアンカ−５を地中に埋設し、棹石２００の底部に耐震墓石用最上石材固定具１を埋設し、当該地面に埋設したカットアンカ−５と当該棹石２００に埋設した耐震墓石用最上石材固定具１との間にタ−ンバックル部６を介在させ、当該タ−ンバックル部６を伸長・収縮させ、基礎２０４、芝台２０３、下台２０２、上台２０１の締め付け・解放を行うことにより、墓石本体２に耐震性を付与することができる。
当該墓石本体２の最上の石材２００の底部の穴部１０１１の内面に螺設されたネジ部１０１２と当該タ−ンバックル部６の上端部のネジ６０２とが螺合させる。
この場合、棹石２００の底部に埋設される耐震墓石用最上石材固定具１の穴部１０１１の内面ネジ１０１２が右ネジであるときには、タ−ンバックル部６の上端部のネジ６０２は当該カットアンカ−５の内面ネジ５００との関係で、右ネジ６０２となり、当該カットアンカ−５とタ−ンバックル部６とが接合され、一方、タ−ンバックル部６のストレート部６０１の下部の上部ネジ６０１０は、当該タ−ンバックル部６の上端部のネジ６０２との関係で左ネジとなり、当該タ−ンバックル部６の下部ネジ６０１０は、上部ネジ６０１０との関係で逆ネジの右ネジとなり、地中に埋設したカットアンカ−５の内面ネジ５００は、右ネジとなる。
かくて、耐震墓石用最上石材固定具１及びカットアンカ−５との間でタ−ンバックル部６を介在させ、複数の石材２００〜２０４の締め付け固定を行い、墓石本体２に耐震性を付与することができる。
【００１７】
図８に示すように、タ−ンバックル部６の胴部６００が、基礎２０４の納骨室２０４０に位置するようにするとよい。
納骨室２０４０にて、図１３（Ｂ）に示すようなタ−ンバックルの場合、タ−ンバックル部６の胴部６００の右ネジと左ネジの逆方向のネジ６０１０が切られた棒部６０１を正逆回転させると、当該タ−ンバックル部６が伸縮し、基礎２０４、芝台２０３、下台２０２、上台２０１の締め付け・解放を行う。又、耐震墓石用最上石材固定具１が埋設された棹石２００とカットアンカ−５が埋設された地面Ｇとの間にも締め付け・解放が行われ、墓石本体１全体に耐震性が付与され、又、解放も行うことができる。
【００１８】
上記実施例によれば、地面にカットアンカ−５が埋設されているので、耐震性に強く、しかも、墓石本体２の全体が耐震性に強くなり、地面Ｇにカットアンカ−５を埋設し、最上の棹石２００に耐震墓石用最上石材固定具１を埋設し、芝台２０４、下台２０２、上台２０１からなる石材間の貫通孔２０５にタ−ンバックル部６を介在させるだけなので、耐震作業が簡単で、部品点数が少なくて済み、タ−ンバックル部６は伸縮自在であるので、芝台２０４、下台２０２、上台２０１からなる石材間の締付け・解放が自由にでき、その締付けにより地震の揺れを受けても、当該墓石の転倒やずれを防止し、一方、その解放により当該墓石の移転や墓の修理に迅速に対処できる。棹石２００は、上台２０１から容易に離脱させることができ、その彫刻の修正なども容易となる。
上記実施例によれば、タ−ンバックル部６の胴部６００が、基礎２０４の納骨室２０４０に位置するようになっているので、当該納骨室２０４０の開口を通して当該タ−ンバックル部６の回転操作を容易に行えるので、より一層タ−ンバックル部６による石材の締付け・解放操作を容易に行え得るという利点を有する。
【００１９】
本考案の他の実施例を図９及び図１０に基づいて説明する。
図９及び図１０に示す実施例は、墓石本体２は、前記の図５に示す実施例と同様であるが、当該図９及び図１０に示す実施例では、墓石Ｔにおける外柵７と墓石本体２との間も連結させ、外柵７に耐震性を付与すると共に、墓石本体２の耐震性をより一層向上させるようにしたものである。
図９及び図１０に示すように、外柵７と墓石本体２の基礎２０４との間で、当該外柵７側にカットアンカ−５を埋設すると共に、当該基礎２０４側にカットアンカ−５を埋設する。
当該外柵７側のカットアンカ−５と当該石材側のカットアンカ−５との間に伸縮自在のタ−ンバックル部６を介在させる。締め付け部材４にて、各カットアンカ−５とタ−ンバックル部６とを締め付け固定することが好ましい。当該締め付け部材４には、前記の締め付け部材４と同様のものが使用できる。
墓石本体２と同様に、図９及び図１０に示すように、地面Ｇにカットアンカ−５を埋設する。締め付け部材４にて、当該カットアンカ−５を地面Ｇに締め付け固定することが好ましい。当該締め付け部材４には、前記の締め付け部材４と同様のものが使用できる。
当該地面に埋設されたカットアンカ−５と、前記の図１３（Ｄ）に示すタ−ンバックル胴部６００が枠式で一端部がフック部６０３に構成され、他部の棒部６０１がストレートタイプ部６０１となっているタ−ンバックル部６の当該ストレート部６０１とを接合する。カットアンカ−５とタ−ンバックル部６のネジ６０２とを螺合する。
一方、当該タ−ンバックル部６の当該フック部６０３を前記の各カットアンカ−５間のタ−ンバックル部６に係止する。
上記実施例のように、墓石本体２の周辺に位置する外柵７との間でも、それぞれカットアンカ−５を埋設し、当該外柵７側のカットアンカ−５と当該墓石本体２側のカットアンカ−５との間に伸縮自在のタ−ンバックル部６を介在させ、地面Ｇにカットアンカ−５を埋設し、片側がフック部６０３で他側がストレート部６０１の伸縮自在のタ−ンバックル部６の当該ストレート部６０１と前記の地面Ｇに埋設されたカットアンカ−５とを接合し、当該タ−ンバックル部６の当該フック部６０３を前記のカットアンカ−５，５間のタ−ンバックル部６に係止させると、外柵７に耐震性を付与すると共に、墓石本体２の耐震性をより一層向上させることができる。
【００２０】
本考案では、上記のカットアンカ−５に代えて、例えば、図１４に示すような、各種の基礎ボルトを使用することができる。
図１４（Ａ）に示す基礎ボルトは、鬼ボルトと称され、図１４（Ｂ）及び（Ｃ）に示す基礎ボルトはアンカーボルトと称され、更に、図１４（Ｄ）に示す基礎ボルトは、アイボルトと称され、更に又、図１４（Ｅ）及び（Ｆ）に示す基礎ボルトは、アンカ−プレ−トと称され、ここに例示されたような基礎ボルトが使用される。
尚、当該図１４では、ナット４０４が付設されたものを図示しているが、ナット４０４とは別個に使用できることはもちろんである。
【００２１】
本考案の耐震墓石用最上石材固定具によれば、墓石の石塔、棹石等と称される最上の石材の内部で、その頭部が当該石材と接触し、又、そのネジ部も当該石材と接触して、当該石材から抜けるずらくなるので、耐震墓石の耐震性を向上させることができるが、墓石の最上の石材（石塔、棹石、竿石等と称される）は、その石材の材質などから、前記の地面に埋設するアンカーボルトでは、外面が平滑で当該石材から抜けてしまい易く、又、基礎ボルトでも外面が平滑で当該石材から抜けてしまい易く、墓石の耐震性を低下させる要因ともなり易く、更に、止めネジなどの螺子では、連結ボルト３やタ−ンバックル部６を繋ぐ穴部がなく、耐震墓石を構成できない。
【００２２】
本考案は上記実施例に限定されず、適宜変更が可能であり、例えば、前記実施例では、基礎が地面上に形成された例を示すが、地中に基礎が埋設された場合であってもよく、地中にカットアンカ−や基礎ボルト等のボルトを埋設することができる。
本考案は上記実施例に限定されず、適宜変更が可能であり、例えば、外柵は、下石と共に境界石を構成するようになっていてもよいことはもちろんである。
本考案は墓石本体や外柵に加えて、水鉢、香炉、灯籠、花立て、墓誌等を有していてもよい。
【産業上の利用可能性】
【００２３】
本考案は、角石塔に限定されず、層塔、卵塔、宝塔、五輪塔などの墓標にも適用される。
本考案は、長方形の石を積み重ねた和型に限定されず、洋型などの墓標にも適用される。
【図面の簡単な説明】
【００２４】
【図１】本考案の実施例を示す耐震墓石用最上石材固定具の一例側面図である。
【図２】本考案の実施例を示す耐震墓石用最上石材固定具の一例断面図である。
【図３】本考案の他の実施例を示す耐震墓石用最上石材固定具の一例底面図である。
【図４】本考案の耐震墓石用最上石材固定具の使用例説明図である。
【図５】本考案の実施例を示す耐震墓石の一例断面図である。
【図６】（Ａ）本考案の実施例を示す耐震墓石の一例断面図、（Ｂ）締め付け部材の一例構成図である。
【図７】本考案の実施例を示す耐震墓石の一例断面図である。
【図８】本考案の他の実施例を示す耐震墓石の一例断面図である。
【図９】本考案の更に他の実施例を示す耐震墓石の一例断面図である。
【図１０】本考案の更に又他の実施例を示す耐震墓石の一例断面図である。
【図１１】本考案の実施例を示す耐震墓石の一例平面図である。
【図１２】本考案の一例構成図である。
【図１３】（Ａ）〜（Ｄ）それぞれ本考案に使用されるタ−ンバックル部の例を示す構成図である。
【図１４】（Ａ）〜（Ｄ）それぞれ本考案に使用される基礎ボルトの一例構成図である。
【符号の説明】
【００２５】
１    耐震墓石用最上石材固定具
２    墓石本体
３    連結ボルト
４    締結部材
６    タ−ンバックル部
７    外柵
２００    最上の石材
【図１】
0003122801.tif 000003
【図２】
0003122801.tif 000004
【図３】
0003122801.tif 000005
【図４】
0003122801.tif 000006
【図５】
0003122801.tif 000007
【図６】
0003122801.tif 000008
【図７】
0003122801.tif 000009
【図８】
0003122801.tif 000010
【図９】
0003122801.tif 000011
【図１０】
0003122801.tif 000012
【図１１】
0003122801.tif 000013
【図１２】
0003122801.tif 000014
【図１３】
0003122801.tif 000015
【図１４】
0003122801.tif 000016